(57)【要約】　　　（修正有）【課題】使用者が無理のない姿勢で使用することができる。【解決手段】フレネルレンズ３の支持部３ａに支持棒２を挿入し、その支持棒２の両端のねじ部２ａを、フレーム１の透孔１ｄに通し、ねじ部２ａにスプリングワッシャー４を介して袋ナット５を螺合させ拡大鏡を形成する。【選択図】　図１
0003098203.tif 000002
【実用新案登録請求の範囲】
【請求項１】
二通りの傾斜状態に設置可能な一対のフレームと、
この一対のフレームの両端部に装着された一対の支持棒と、
この一対の支持棒間に掛け渡された矩形状のフレネルレンズとを具備してなる拡大鏡。
【請求項２】
一対のフレームは、長尺な薄板で形成され、基辺部と、この基辺部の両端からそれぞれ異なる傾斜角度を存して突出する第一及び第二の傾斜辺部とから構成されていることを特徴とする請求項１記載の拡大鏡。
【請求項３】
フレームおよび支持棒は、金属で形成されていることを特徴とする請求項２記載の拡大鏡。
【請求項４】
フレネルレンズは、３３８ｍｍ×３８４ｍｍの寸法に設定されていることを特徴とする請求項１ないし３のいずれかに記載の拡大鏡。
【考案の詳細な説明】
【０００１】
【考案の属する技術分野】
本考案は、フレネルレンズを用いた拡大鏡に関するものである。
【０００２】
【従来の技術】
新聞、雑誌、書物等を読む場合に使われる拡大鏡としては、従来から、フレネルレンズを使用したものがある。このフレネルレンズを使用した拡大鏡は、例えば、長方形板状のフレネルレンズの周囲がプラスチック製のフレームにより固定され、このフレームには四本の同じ長さの足が突設された構成である。そのため、拡大鏡を床面に設置した場合、フレネルレンズと床面とは平行になる。
【０００３】
【考案が解決しようとする課題】
従来の拡大鏡を使用する場合、拡大鏡を読書対象部に対して覆い被せるように設置するようになるので、読書対象物に対してフレネルレンズは平行になる。　　その結果、使用者は、顔の位置をフレネルレンズに対して真上に持ってくる必要があって、必然的に覗き込んだ体勢を長時間続けねばならず苦労を要した。
【０００４】
本考案は、上記事情に鑑みてなされたものであり、その目的は、使用者が無理のない姿勢で使用することができる拡大鏡を提供することにある。
【０００５】
【課題を解決するための手段】
請求項１記載の拡大鏡は、二通りの傾斜状態に設置可能な一対のフレームと、この一対のフレームの両端部に装着された一対の支持棒と、この一対の支持棒間に掛け渡された矩形状のフレネルレンズとを具備してなることを特徴とする。　　上記構成によれば、フレネルレンズは、二通りの傾斜状態に設置可能となり、例えばソファーに座って使用する場合や机に向かって使用する場合等の状況に合わせ、傾斜角度を変化させて使用できることから、使用者は無理のない姿勢で使用することができる。
【０００６】
請求項２記載の拡大鏡は、一対のフレームは、長尺な薄板で形成され、基辺部と、この基辺部の両端からそれぞれ異なる傾斜角度を存して突出する第一及び第二の傾斜辺部とから構成されていることを特徴とする。
上記構成によれば、一つの基辺部と二つの傾斜辺部により、最適な二通りの傾斜状態を実現することができ、また、フレームに長尺な薄板を使用したことにより軽量化を図ることができる。
【０００７】
請求項３記載の拡大鏡は、フレームおよび支持棒は、金属で形成されていることを特徴とする。
上記構成によれば、フレームおよび支持棒は金属で形成されているので、軽量化を図りつつも落下等の衝撃から耐えうる強度を持たせることができる。
【０００８】
請求項４記載の拡大鏡は、フレネルレンズは３３８ｍｍ×３８４ｍｍの寸法に設定されていることを特徴とする。
上記構成によれば、新聞の半面程度を一望できるほどの広い面積を見渡すことが可能となる。
【０００９】
【考案の実施の形態】
以下本考案の一実施例について図面を参照しながら説明する。
図１ないし図３は、拡大鏡の構成を示し、図４及び図５は、拡大鏡の使用例を示すものである。
【００１０】
図１および図２に示すように、一対のフレーム１，１は、長尺な金属例えば鉄製の薄板を曲げ加工したもので、基辺部１ａ，１ａ、第一の傾斜辺部１ｂ，１ｂおよび第二の傾斜辺部１ｃ，１ｃから構成されている。この場合、基辺部１ａ，１ａを基準として、傾斜辺部１ｂ，１ｂはα度（例えば２５度）の傾斜角を有し、傾斜辺部１ｃ，１ｃはβ度（例えば６０度）の傾斜角を有するように設定されている。前記フレーム１，１の両端部には、換言すれば、傾斜辺部１ｂ，１ｂ、傾斜辺部１ｃ，１ｃのそれぞれの各一端には、透孔１ｄ，１ｄが形成されている。尚、フレーム１，１はメラミン樹脂により焼付塗装されている。一対の支持棒２，２は、鉄製の丸棒で構成されている。そして、この一対の支持棒２，２の各両端部にはねじ部２ａ，２ａが形成されている。
【００１１】
フレネルレンズは、周知のように、薄く平らな樹脂に、階段状かつ同心円状に鋸波型の溝を密に施したもので、それぞれの溝が小さな屈折面（プリズム面）として働くことにより、全体としては一枚の大きなレンズと同じ機能をはたしている。フレネルレンズ３は、硬質塩化ビニール製で、矩形状に形成され、その上下両端部には、筒状をなす支持部３ａ，３ａがウェルダー処理にて形成されている。この場合、フレネルレンズ３は、図３に示すように、上下寸法がＬ（例えば３３８ｍｍ）および左右寸法がＭ（例えば３８４ｍｍ）に設定されている。
【００１２】
而して、全体の組み立て手順について説明する。即ち、フレネルレンズ３の支持部３ａ，３ａに支持棒２を挿入し、その支持棒２の両端のねじ部２ａをフレーム１の透孔１ｄに通し、そのねじ部２ａにスプリングワッシャー４を介して袋ナット５を螺合させ、以って拡大鏡を構成する。
【００１３】
次に、本実施例の使用状態につき図４および図５を参照して説明する。
まず、使用者が図４に示すように、ソファー６などに座った状態とテーブル７が同じ高さにある場合には、フレーム１の基辺部１ａをテーブル７の上面に設置すれば、フレネルレンズ３の角度を読書対象物Ａの文字に対して視点を合わせやすいものとなる。この場合、傾斜辺部１ｂに支持された支持棒２が使用者に対して手前側に位置し支持棒２とテーブル７との間に隙間Ｈができる。この隙間Ｈは手を挿入することが可能であり、読書対象物Ａのページをめくる作業等に使うことができる。
【００１４】
次に、使用者が図５に示すように、椅子８に座って机９に向かう状態のように高低差がある場合には、フレーム１の傾斜辺部１ｃを机９の上面に設置すれば、フレネルレンズ３の角度を読書対象物Ａの文字に対して視点を合わせやすいものとなる。
【００１５】
上記のように本実施例によれば、　フレーム１によりフレネルレンズ３に二通りの傾斜角を持たせるようにしたので、使用状態に応じて無理のない姿勢で使用でき、長時間の使用に対しても疲労感を少なくすることができる。更に、使用方法も基辺部１ａ，１ａもしくは傾斜部１ｃ，１ｃのどちらか一方を設置部とするだけの単純操作により使用することができる。
【００１６】
また、フレーム１は、鉄製の薄板により形成され、支持棒２は、鉄製の丸棒により形成されているので、軽量化を図ると共に落下等の衝撃にも耐えられる強度を持たせることができる。更に、フレネルレンズ３の素材は硬質塩化ビニールであるので、水拭きすることができる。
【００１７】
そして、図３に示すように、フレネルレンズ３は３３８ｍｍ×３８４ｍｍの大きいフレームに採用されているため、新聞の半面程度なら一望できる程の広い面積を見ることができ、見たい場所に合わせてレンズ（拡大鏡）を移動する手間を省くことができる。また、フレネルレンズ３により読書対象物の文字を読む場合、フレネルレンズ３の拡大作用により文字の大きさは２ないし４倍程度に拡大され、老眼や遠近視等の視力の弱い方にも眼鏡の使用なしでも読むことができる。
【００１８】
（その他の実施例）
なお、本考案は、上記し且つ図面に示す実施例のみに限定されるものではなく、次のような拡張、変形が可能である。
上記実施例においては、基辺部を基準とし二つの傾斜辺部を持った構成のフレームを使用しているが、基辺部を一つの傾斜辺部のみを持ち、基辺部の一端と傾斜辺部の一端にそれぞれ支持棒を固定し、この支持棒間にフレネルレンズを掛け渡す構成としてもよい。
【００１９】
上記実施例においては、３３８ｍｍ×３８４ｍｍの矩形状フレネルレンズを使用しているが、この寸法に限定されるものではない。
上記実施例においては、具体使用例としてソファーとテーブルの組み合わせの場合、机と椅子の組み合わせの場合の使用についてのみ書かれているが、使用形態は前記形態に限定されるものではなく、直接床に置く使用等のどんな使用方法でもよい。従って、二つの傾斜角度は自由に設定してよい。
【００２０】
【考案の効果】
本考案の拡大鏡は、以上説明したように、二通りの傾斜状態にレンズを設置可能とすることで、無理のない姿勢で使用することが可能となる効果を奏するものである。
【図面の簡単な説明】
【図１】本考案の一実施例を示す分解組立図斜視図
【図２】フレームの側面図
【図３】フレネルレンズの正面図
【図４】使用例図その１
【図５】使用例図その２
【符号の説明】
１はフレーム、１ａは基辺部、１ｂおよび１ｃは第一および第二の傾斜辺部、２は支持棒、３はフレネルレンズ、３ａは支持部、５は袋ナットを示す。
【図１】
0003098203.tif 000003
【図２】
0003098203.tif 000004
【図３】
0003098203.tif 000005
【図４】
0003098203.tif 000006
【図５】
0003098203.tif 000007